(57)【特許請求の範囲】
【請求項１】
第一面シートと、
前記第一面シートに対向し、前記第一面シートと共に筒状体を構成する第二面シートと、
前記第一面シートの下端と前記第二面シートの下端とを接合する底ガセットシートと、
上端部に取り付けられたスパウトと、
把持部と、
を備えたパウチ容器であって、
前記底ガセットシートは、山折りされた状態で前記第一面シート及び前記第二面シートにそれぞれ底シール部で接合され、
少なくとも前記第一面シートの前記底シール部は、前記第一面シートの下端中央であって左右方向に所定長で延在する帯状領域、及び前記帯状領域の左右に存在する略三角状領域から構成され、
前記把持部は、
前記第一面シートの内面に上端が接合されると共に下端が前記第一面シート及び前記底ガセットシートと接合された両面ヒートシール性の内装シートと、
前記第一面シートの前記内装シートと重なる位置に形成された開口であって、前記開口の上端が前記第一面シートの上下方向略中央あるいは略中央より下側に位置し、前記開口の下端が前記略三角状領域に近接すると共に前記第一面シートの下端近傍まで延在する、開口と、
２つの前記開口の間に存在する前記第一面シートの帯部と、
を備えることを特徴とするパウチ容器。
【請求項２】
前記内装シートの前記下端は、前記第一面シートの前記下端あるいはその近傍まで延在し、
前記開口の下端は、前記第一面シートの前記内装シートと重なる位置であって、前記第一面シートの前記下端近傍まで延在する
ことを特徴とする請求項１記載のパウチ容器。
【請求項３】
第一面シートと、
前記第一面シートに対向し、前記第一面シートと共に筒状体を構成する第二面シートと、
前記第一面シートの下端と前記第二面シートの下端とを接合する底ガセットシートと、
上端部に取り付けられたスパウトと、
把持部と、を備え、
前記底ガセットシートは、山折りされた状態で前記第一面シート及び前記第二面シートにそれぞれ底シール部で接合され、
少なくとも前記第一面シートの前記底シール部は、前記第一面シートの下端中央であって左右方向に所定長で延在する帯状領域、及び前記帯状領域の左右に存在する略三角状領域から構成されるパウチ容器の製造方法であって、
前記第一面シートの上下方向略中央より下側であって前記略三角状領域に近接すると共に前記第一面シートの下端近傍より上側に開口を形成する開口形成ステップと、
前記第一面シートの内面に、両面ヒートシール性の内装シートの上端を前記開口の上端よりも上側であって前記第一面シートの上下方向略中央あるいは略中央より下側に接合した上端接合ステップと、
前記第一面シートの下端と、前記内装シートの下端と、前記底ガセットシートと、前記第二面シートの下端を接合する下端接合ステップと、
を備えることを特徴とするパウチ容器の製造方法。
【発明の詳細な説明】
【技術分野】
【０００１】
本発明は、パウチ容器及びその製造方法に関し、特に把持構造に関する。
【背景技術】
【０００２】
パウチ容器は、軽量で廃棄が容易である等の優れた特徴を有し、各種流体製品の詰め替え用容器等として広く使用されている。他方、柔軟なパウチ容器は、曲がりやすく、形状や体積が内容物の注出に伴い動的に変化するため、充填された内容物を注出する際に保持し続けるのが比較的困難である。
【０００３】
特許文献１には、注出時や充填された内容物を空にする際に確実に保持することができることを目的とする起立用底部付きパックが記載されている。
【０００４】
図１５は、従来の起立用底部付きパックの外観斜視図を示す。起立用底部付パックは、ヒートシール可能なプラスチックフィルム製であり、頭部シール接合部２、長手方向縁部における長手方向シール接合部３によって接続される二つの側壁部１、内側に折り曲げられたフィルム底部４、再シールキャップ５、及びフィルム運搬ハンドル８を有する。再シールキャップ５は、繰り返して栓をすることができる注ぎ出し要素６であって、側壁部１を接続する頭部接合部２の領域に設けられており、フィルム運搬ハンドル８が側壁部１に略中央で固定されている。
【先行技術文献】
【特許文献】
【０００５】
【特許文献１】特開２０１１−２３５９６５号公報
【発明の概要】
【発明が解決しようとする課題】
【０００６】
フィルム運搬ハンドル等の把持部をパウチ容器に設けることは有効であるが、内容物が充填されたパウチ容器を把持して傾けることで内容物を注出する際には、把持部に内容物の重量に応じた荷重が印加されるため、把持部の強度についても十分に確保して内容物の種類や重量によらずにパウチ容器を確実に保持できることが望まれる。特に、パウチ容器を構成するシートに開口を形成し、当該開口に指を差し込むことで把持する構成の場合、シートに内容物の荷重が印加されることになるからその強度を確保する必要性が高い。
【０００７】
本発明の目的は、把持部の強度を確保して注出作業を一層容易化し得るパウチ容器及びその製造方法を提供することにある。
【課題を解決するための手段】
【０００８】
本発明は、第一面シートと、前記第一面シートに対向し、前記第一面シートと共に筒状体を構成する第二面シートと、前記第一面シートの下端と前記第二面シートの下端とを接合する底ガセットシートと、把持部とを備えたパウチ容器であって、前記把持部は、前記第一面シートの内面に上端が接合されると共に下端が前記第一面シート及び前記底ガセットシートと接合された内装シートと、前記第一面シートの前記内装シートと重なる位置に形成された開口であって、前記開口の上端が前記第一面シートの上下方向略中央あるいは略中央より下側に位置する、開口とを備えることを特徴とする。
【０００９】
本発明の１つの実施形態では、前記内装シートの前記下端は、前記第一面シートの前記下端あるいはその近傍まで延在し、前記開口の下端は、前記第一面シートの前記内装シートと重なる位置であって、前記第一面シートの前記下端近傍まで延在する。
【００１０】
本発明の他の実施形態では、前記底ガセットシートは、山折りされた状態で前記第一面シート及び前記第二面シートにそれぞれ底シール部で接合され、少なくとも前記第一面シートの前記底シール部は、前記第一面シートの下端中央であって左右方向に所定長で延在する帯状領域、及び前記帯状領域の左右に存在する略三角状領域から構成される。
【００１１】
また、本発明は、第一面シートと、前記第一面シートに対向し、前記第一面シートと共に筒状体を構成する第二面シートと、前記第一面シートの下端と前記第二面シートの下端とを接合する底ガセットシートと、把持部とを備えたパウチ容器の製造方法であって、前記第一面シートの上下方向略中央より下側に開口を形成する開口形成ステップと、前記第一面シートの内面に、内装シートの上端を前記開口の上端よりも上側に接合する上端接合ステップと、前記第一面シートの下端と、前記内装シートの下端と、前記底ガセットシートと、前記第二面シートの下端を接合する下端接合ステップとを備えることを特徴とする。ここで、第一面シートの下端と、内装シートの下端と、底ガセットシートと、第二面シートの下端を接合する下端接合ステップには、内装シートの下端を第一面シートの内面に接合した後に底ガセットシート及び第二面シートを接合する場合と、第一面シートと第二面シートと内装シートと底ガセットシートの下端同士を同時に接合する場合のいずれも含まれ得る。
【発明の効果】
【００１２】
本発明によれば、把持部の強度を確保して内容物の注出作業を容易化できる。また、本発明によれば、把持部の開口がパウチ容器の下端側に偏在しているので、パウチ容器の重心位置との関係においてパウチ容器を容易に傾けることができ、注出作業を容易化できる。
【図面の簡単な説明】
【００１３】
【図１】第１実施形態のパウチ容器の平面図である。
【図２】図１に示すパウチ容器のIIーII線に沿った断面図である。
【図３】図１に示すパウチ容器のIIIーIII線に沿った断面図である。
【図４】パウチ容器の内容物充填時の断面図である。
【図５】図４の一部拡大図である。
【図６】パウチ容器の注出時の斜視図である。
【図７】パウチ容器の分解斜視図である。
【図８】第２実施形態のパウチ容器の平面図である。
【図９】第３実施形態のパウチ容器の平面図である。
【図１０】第４実施形態のパウチ容器の起立状態における斜視図である。
【図１１】第５実施形態のパウチ容器の平面図である。
【図１２】第６実施形態のパウチ容器の背面図である。
【図１３】第７実施形態のパウチ容器の背面図である。
【図１４】第８実施形態のパウチ容器の（ａ）平面図、（ｂ）ＩＶ−ＩＶ線に沿った断面図、および、（ｃ）起立状態の斜視図である。
【図１５】従来のパウチ容器の斜視図である。
【発明を実施するための形態】
【００１４】
以下、図面に基づき本発明の実施形態について説明する。
【００１５】
＜第１実施形態＞
＜構成＞
本実施形態のパウチ容器は、内容物を収納するための容器であり、複数のシートを貼り合わせて構成される。以下では、パウチ容器の内容物は、液体洗剤やシャンプー等の液状薬剤、油や酒等の液状食品のような液体として説明するが、これに限定されるものではなく、粉粒体のような固形物、ゲル状やゾル状の半固形物であってもよい。
【００１６】
図１は、パウチ容器の平面図である。また、図２は、図１におけるIIーII断面図であり、図３は、図１におけるIIIーIII断面図である。さらに、図４は、図３において内容物としての液状物１００をパウチ容器に充填した状態を示す。
【００１７】
パウチ容器は、第一面シート１１と、第二面シート１２と、底ガセットシート１３とを備える自立型（スタンディング）パウチである。第一面シート１１は、例えば表面シートとして機能し、第二面シート１２は、第一面シート１１に対向し、例えば裏面シートとして機能する。底ガセットシート１３は、第一面シート１１と第二面シート１２の間に折り込まれて挿入され、底ガセット部を構成する。底ガセットシート１３は、上方に向かって山折りされて挿入され、図４に示すように液状物１００の充填により展開する。
【００１８】
パウチ容器は、第一面シート１１と第二面シート１２の間に底ガセットシート１３が挿入された状態で各シートの端縁同士を接合するシール部が形成される。図１において、シール部として、上端シール部（あるいは天シール部）１５、下端シール部（あるいは底シール部）１６、及びサイドシール部１７が形成される。底ガセットシート１３は、例えば第一面シート１１、及び第二面シート１２の下端部から上下方向長さの１／６〜１／４程度の範囲に設けられるが、特に限定されない。また、パウチ容器は、上端部に取り付けられたスパウト１８と、スパウト１８に装着されたキャップ１９で構成される口栓２０を備える。
【００１９】
上端シール部１５は、第一面シート１１と第二面シート１２の上端同士を接合して形成されるシール部であり、第一面シート１１と第二面シート１２の間にスパウト１８を挟んだ状態で形成される。
【００２０】
下端シール部１６は、底ガセットシート１３の端部に形成されるシール部であり、底ガセットシート１３と第一面シート１１及び第二面シート１２を接合する。下端シール部１６は、液状物を充填したときに第一面シート１１及び第二面シート１２が互いに離間して底ガセットシート１３が展開するように形成される。下端シール部１６は、図１に示すように、平面視において第一面シート１１及び第二面シートの横方向中央部に形成された帯状領域と、第一面シート１１及び第二面シート１２の両隅部に形成された略三角状領域からなる。底ガセットシート１３には、横方向両端部にそれぞれ切り欠き部が形成されており、この切り欠き部を介して第一面シート１１と第二面シート１２が直接当接してポイントシール部２１で接合され、安定した自立性が得られる。ポイントシール部２１以外の下端シール部１６では第一面シート１１と底ガセットシート１３が接合されるとともに底ガセットシート１３と第二面シート１２が接合され、第一面シート１１と第二面シート１２は直接接合されない。
【００２１】
サイドシール部１７は、パウチ容器の横方向両端縁において第一面シート１１と第二面シート１２を接合して形成される。サイドシール部１７の一部は、後述する内装シートの横方向両端部を挟んだ状態で形成される。
【００２２】
また、パウチ容器は、第一面シート１１と第二面シート１２の少なくともいずれか、例えば第一面シート１１に把持部３０を備える。把持部３０は、第一面シート１１の内面に接合された内装シート２６と重なる位置において、第一面シート１１に２つの開口２９を形成することで構成される。２つの開口２９はパウチ容器の横方向に所定間隔をあけて並設される。把持部３０は、内装シート２６と、第一面シート１１に形成された２つの開口２９から構成され、より詳細には、内装シート２６と、２つの開口２９と、２つの開口２９の間に存在する第一面シート１１の帯部３１から構成される。内装シート２６の上端、下端及び横方向端縁を第一面シート１１の内面に接合することで、第一面シート１１と内装シート２６の間に、液状物１００が充填される充填部と連通しない独立の空間である内部空間が形成される。パウチ容器の使用者は、２つの開口２９に指を挿入し、２つの開口２９で挟まれた第一面シート１１の帯部３１を掴むことでパウチ容器を把持できる。把持部３０の２つの開口２９は、パウチ容器の上下方向の略中央よりも下端側に設けられる。
【００２３】
把持部３０の２つの開口２９は、パウチ容器の上下方向の中心線に対して略対称な位置に略対称な形状で形成される。２つの開口２９は、指を挿入可能なサイズであり、好ましくは複数の指、例えば人差し指、中指、薬指、小指を収容可能なサイズを有し、上下方向に長い長円形状をなす。２つの開口２９は、内装シート２６と重なる位置に形成されるから、２つの開口２９の上端は内装シート２６の上端位置、より詳しくは内装シート２６の上端と第一面シート１１の内面との接合位置で規定され、２つの開口２９の下端は内装シート２６の下端位置、より詳しくは内装シート２６の下端と第一面シート１１の内面との接合位置で規定される。言い換えれば、２つの開口２９は、内装シート２６の上端接合部と下端接合部の間に形成される。本実施形態では、図１に示すように、２つの開口２９の上端はパウチ容器の上下方向の略中央あるいは略中央よりも下側に位置し、２つの開口２９の下端はパウチ容器の下端近傍に位置する。２つの開口２９は、パウチ容器の上下方向の略中央よりも下端側からパウチ容器の下端近傍に至るまで延在する。
【００２４】
内装シート２６の上端は、内装シートシール部２８で第一面シート１１の内面に接合される。本実施形態における内装シートシール部２８は、パウチ容器の上下方向の略中央あるいは略中央よりも下端側に形成される。ただし、内装シートシール部２８は、パウチパウチ容器または第一面シートの上下方向略中央より上側に形成されてもよい。内装シート２６の下端は、下端シール部１６で第一面シート１１の内面及び底ガセットシート１３と接合される。すなわち、図３あるいは図４に示すように、内装シート２６の下端は、第一面シート１１の下端と底ガセットシート１３に挟まれた状態で接合される。従って、２つの開口２９は、内装シートシール部２８と下端シール部１６の間に形成される。下端シール部１６は、平面視において第一面シート１１及び第二面シートの横方向中央部に形成された帯状領域と、第一面シート１１及び第二面シート１２の両隅部に形成された略三角状領域から形成され、２つの開口２９の下端は、下端シール部１６の帯状領域に近接して形成される。下端シール部１６の横方向略中央部が相対的に幅狭の帯状領域となっているため、２つの開口２９の下端をパウチ容器の下端近傍まで延在させることができる。
【００２５】
このように、本実施形態の内装シート２６は、その下端に着目すると、第一面シート１１の内面と接合されるとともに、底ガセットシート１３とも接合される。内装シート２６を第一面シート１１の上下方向の略中央に接合する場合には、その上端及び下端はともに第一面シート１１の内面に接合するのみとなる。これに対し、本実施形態の内装シート２６は、その下端において第一面シート１１の内面のみと接合される場合に比べて、より強固に接合される。
【００２６】
パウチ容器を構成する各シートは、樹脂フィルムから構成される。シートを構成する樹脂フィルムには、耐衝撃性、耐摩耗性、及び耐熱性等、包装体としての基本的性能を備えることが要求される。また、各シール部は、ヒートシールにより形成する場合にはヒートシール性も要求される。シートとしては、ベースフィルム層と、ヒートシール性を付与するシーラント層とを有する積層フィルムを用いることができる。さらに、高いガスバリア性が要求される場合には、ベースフィルム層とシーラント層の間にガスバリア層を設けてもよい。また、内装シート２６は、両面にヒートシール性を備えていることが必要であり、高い遮光性やガスバリア性が求められる場合にはバリア層も必要である。内装シート２６の一例は、バリア層の両側にシーラント層が積層された三層構造である。
【００２７】
内装シート２６の下端は第一面シート１１と底ガセットシート１３に挟まれた状態で接合されるが、その上端は第一面シート１１の内面のみに接合されるため、図４に示すように、内装シート２６の上端面はパウチ容器に充填された液状物１００に接触することになる。内装シート２６は、バリア層の両側にシーラント層が積層された三層構造であるが、三層構造の内装シート２６の端面が液状物１００に接触すると、層間に液状物１００が浸食し、層間剥離（デラミネーション）が生じるおそれがある。また、バリア層は、アルミニウム、酸化アルミニウム、シリカ等の無機酸化物を含んでいることがあり、液状物１００の種類によっては無機酸化物が液状物１００と接触して変質する場合もあり、ガスバリア性や遮光性の低下、液状物１００自体の変質が生じ得る。この場合、内装シート２６の上端の端面をパウチ容器の内部空間から隔離することが好ましい。
【００２８】
図５は、内装シート２６の上端の一部拡大図であり、上端の端面を内部空間から隔離するためのいくつかの方法を示す。
【００２９】
図５（ａ）は、接液が許容されているテープ４２（例えばシーラント層のみを有する単層テープ）を内装シート２６の縁部から第一面シート１１の内面に跨がって貼着することで隔離する方法を示す。なお、図では、内装シート２６はバリア層Ｌ１の両側にシーラント層Ｌ２，Ｌ３が積層された三層構造として示されている。
【００３０】
図５（ｂ）は、内装シート２６のバリア層Ｌ１を挟む一対のシーラント層Ｌ２，Ｌ３を、バリア層Ｌ１よりも僅かに長くし、バリア層Ｌ１の端面よりも外側に飛び出すようにして隔離する方法を示す。この場合、内装シート２６の周縁を加熱してヒートシールすると、溶解したシーラント層Ｌ２，Ｌ３がバリア層Ｌ１の端面に流れ出て、バリア層Ｌ１の端面を覆う。シーラント層Ｌ２，Ｌ３を長めにしない場合でも、ヒートシールの際に内装シート２６の周縁間際を加熱すれば、溶解したシーラント層Ｌ２，Ｌ３の一部がバリア層Ｌ１の端面に流れ出て、バリア層Ｌ１の端面を覆う。
【００３１】
図５（ｃ）は、内装シート２６の周縁を、外側（第一面シート１１側）に向けて折り曲げて内装シート２６と第一面シート１１とを接合することで隔離する方法を示す。
【００３２】
これら各種の方法は、内装シート２６の上端においてのみ施され、下端においては施す必要はない。内装シート２６の下端を第一面シート１１と底ガセットシート１３で挟んで接合する利点の一つである。
【００３３】
＜把持状態＞
図６は、把持部３０を用いてパウチ容器を把持した状態の斜視図である。パウチ容器から液状物１００を注出する際には、スパウト１８からキャップ１９を取り外し、片手（図では左手を例示）で容器を把持してスパウト１８を鉛直下方に傾ける。
【００３４】
この際、液状物１００の重量及びパウチ容器の自重が荷重として把持部３０に印加され、第一面シート１１と内装シート２６との接合部にも荷重による応力が印加されるが、特に内装シート２６の下端は単に第一面シート１１の内面に接合されているのではなく、第一面シート１１と底ガセットシート１３との間に挟まれた状態で接合されており、内装シート２６の下端は第一面シート１１のみならず底ガセットシート１３にも接合されているのでその接合強度が増し、結果として把持部３０の強度が向上する。
【００３５】
また、図１５に示す従来技術のように、把持部３０をパウチ容器の略中心に形成した場合には、パウチ容器の重心位置が把持部３０の真下近傍に位置することになり、パウチ容器を傾けたときに開口２９が形成された第一面シート１１とは反対側の第二面シート１２が膨れて注出作業に力を要し片手での作業が困難となる。特に、第一面シート１１、第二面シート１２等を薄い樹脂フィルム（いわゆるコシの無いフィルム）で構成すると、このような下膨れがさらに助長される。
【００３６】
これに対し、本実施形態では、把持部３０の開口２９がパウチ容器の上下方向略中央よりも下端側に形成されているため、パウチ容器を傾けたときにパウチ容器の重心位置が把持部３０よりも口栓２０側に偏るので、パウチ容器が自重で自然に傾き注出作業に大きな力が必要なくなり、片手での作業も容易となる。
【００３７】
＜製造方法＞
次に、本実施形態におけるパウチ容器の製造方法について説明する。
【００３８】
図７は、パウチ容器の分解斜視図である。なお、図７において、第一面シート１１、第二面シート１２、底ガセットシート１３及び内装シート２６は、短尺のシート片として示されているが、実際には所望の長さに切断されるまでは長尺のシートである。
【００３９】
パウチ容器を製造する際には、まず、内装シート２６、山折りされた底ガセットシート１３を、第一面シート１１、第二面シート１２の間に配置する。このとき、第一面シート１１及び第二面シート１２は、それぞれのシーラント層が互いに対向するように配置される。また、底ガセットシート１３は、シーラント層が外側に出るように山折りされる。底ガセットシート１３は、左右端部にポイントシール部２１のための切り欠き部１３ａが形成される。内装シート２６は、両面ヒートシール性のシートを用いる。
【００４０】
各種シートを配置すると、第一面シート１１にパンチ機でパンチ加工を施し、第一面シート１１の所望の位置に２つの開口２９を形成する。所望の位置は、具体的には第一面シート１１の上下方向略中央よりも下端側である。その後、内装シート２６の下側に断熱プレートを配置した状態で、内装シート２６の上端と第一面シート１１をヒートシールする。このヒートシールは、直線状の加熱部を備えた熱シールバーで、第一面シート１１の外面を加圧・加熱することにより行われる。
【００４１】
続いて、第一面シート１１と第二面シート１２の上端同士、第一面シート１１と第二面シート１２と内装シート２６と底ガセットシート１３の下端同士をそれぞれヒートシールする。このヒートシールは、第一面シート１１及び第二面シート１２の外面を、所望のシール形状の加熱部を備えた熱シールプレートで加圧・加熱することで行われる。
【００４２】
続いて、第一面シート１１と第二面シート１２と内装シート２６と底ガセットシート１３の左右端同士をヒートシールし、同時に第一面シート１１と第二面シート１２を直接接合するためのポイントシールが施される。サイドシール及びポイントシールが施された後、長尺なシートを一つのパウチ容器の幅毎に切断する。その後、第一面シート１１と第二面シート１２の上端中央にスパウト１８を挿入してパウチ容器を製造する。なお、第一面シート１１と第二面シート１２と内装シート２６と底ガセットシート１３の下端同士をそれぞれヒートシールする場合、まず内装シート２６の下端を第一面シート１１の内面にヒートシールした後に底ガセットシート１３及び第二面シート１２をヒートシールする場合と、第一面シート１１と第二面シート１２と内装シート２６と底ガセットシート１３の下端同士を同時にヒートシールする場合のいずれも可能であるが、同時にヒートシールする方が工程上は好ましい。
【００４３】
以上のような製造方法では、内装シート２６の下端は、内装シート２６の上端と異なり、第一面シート１１、第二面シート１２、底ガセットシート１３の下端をヒートシールする際に同時にヒートシールされることに留意されたい。すなわち、内装シート２６の上端は内装シートシール部２８でシールされるが、内装シート２６の下端はこれに対応する内装シートシール部が存在せず、下端シール部１６でシールされる。このことは、内装シート２６の下端を上端と同様に直線状の加熱部を備えた熱シールバーで第一面シート１１の外面を加圧・加熱するとした場合の各種調整が不要化され、製造工程が簡略化されることを意味する。
【００４４】
本実施形態では、２つの開口２９の下端をパウチ容器の下端近傍まで延在させているが、必ずしもこれに限定されない。以下、開口２９の形成位置について他の実施形態を例示する。
【００４５】
＜第２実施形態＞
図８は、他の実施形態のパウチ容器の平面図である。図１と異なるのは、開口２９の形成位置であり、その下端位置がパウチ容器の下端近傍まで延在しておらず、下端シール部１６の上端近傍、すなわち下端シール部１６における左右隅部の略三角状領域上端まで延在している点である。
【００４６】
この場合でも、内装シート２６の下端は第一面シート１１と底ガセットシート１３の間に挟まれた状態で接合されるため、その接合強度は増大する。また、本実施形態でも、把持部３０の開口２９がパウチ容器の略中心よりも下端側に形成されているため、パウチ容器を傾けたときにパウチ容器の重心位置が把持部３０よりも口栓２０側に偏るので、パウチ容器が自重により自然に傾き注出作業に大きな力が必要なくなり片手での作業が容易となる。
【００４７】
図８では、図１と比べて開口２９の長円の長さが短くなるが、例えば左手で把持する場合には右側の開口２９に親指、左側の開口２９に人差し指及び中指、可能であればさらに薬指を挿入して把持すればよい。
【００４８】
＜第３実施形態＞
図９は、さらに他の実施形態のパウチ容器の平面図である。図１と異なるのは、開口２９の形成位置及び内装シート２６の下端の接合位置である。
【００４９】
内装シート２６の上端は、図１と同様にパウチ容器の上下方向の略中央あるいは略中央よりも下端側で第一面シート１１の内面に内装シート上端シール部２８ａで接合される。内装シート２６の下端は、図１と異なり下端シール部１６の上端で下端シール部１６と重なるように第一面シート１１の内面に内装シート下端シール部２８ｂで接合される。内装シート下端シール部２８ｂは、下端シール部１６に重なっているため、第１実施形態と同様に内装シート２６の下端は第一面シート１１のみならず底ガセットシート１３とも接合される。
【００５０】
開口２９の上端位置は図１と同様であり、開口２９の下端位置は内装シート下端シール部２８ｂ近傍まで延在する。従って、図１と比較して、図９の開口２９の下端位置は図１の開口２９の下端位置よりも上端側に位置する。
【００５１】
本実施形態でも、内装シート２６の下端は第一面シート１１と底ガセットシート１３の間に挟まれた状態で接合されるため、その接合強度は増大する。また、把持部３０の開口２９がパウチ容器の略中心よりも下端側に形成されているため、パウチ容器を傾けたときにパウチ容器の重心位置が把持部３０よりも口栓２０側に偏るので、パウチ容器が自重により自然に傾き注出作業に大きな力が必要なくなり片手での作業が容易となる。
【００５２】
上記の各実施形態では、底ガセットシート１３を備えるパウチ容器について説明したが、さらに天ガセットシートを備えるパウチ容器にも適用することができる。次に、この場合の実施形態を例示する。
【００５３】
＜第４実施形態＞
図１０は、さらに他の実施形態のパウチ容器の斜視図である。本実施形態では底ガセットシート１３に加え、天ガセットシート１４を備える。
【００５４】
天ガセットシート１４は、第一面シート１１の上端及び第二面シート１２の上端を連結するシートであり、下方向に山折りされて第一面シート１１と第二面シート１２の間に挿入される。この状態で、天ガセットシート１４の周縁と、第一面シート１１及び第二面シート１２とがシール部２８ｃで接合される。
【００５５】
本実施形態の開口２９の形成位置及び内装シート２６の接合位置は、図１と同様である。従って、本実施形態でも、内装シート２６の下端は第一面シート１１と底ガセットシート１３の間に挟まれた状態で接合されるため、その接合強度は増大する。また、把持部３０の開口２９がパウチ容器の略中心よりも下端側に形成されているため、パウチ容器を傾けたときにパウチ容器の重心位置が把持部３０よりも口栓２０側に偏るので、パウチ容器が自重により自然に傾き注出作業に大きな力が必要なくなり片手での作業が容易となる。
【００５６】
天ガセットシート１４及び底ガセットシート１３によってパウチ容器の容量が増大し、かつ、天ガセットシート１４及び底ガセットシート１３を有するパウチ容器は底ガセットシート１３のみを有するパウチ容器に比べて重心位置が上端側に位置しているため、液状物１００の注出作業の容易化は、本実施形態において一層顕著に顕在化し得る。
【００５７】
＜第５実施形態＞
図１１は、さらに他の実施形態であるパウチ容器の平面図である。図１と異なるのは、開口の形態及び内容物の取出部である。なお、内装シート２６の接合形態は、図９と同様である。
【００５８】
図１１に示すように、本実施形態のパウチ容器は、第一面シート１１の内装シート２６と重なる位置に、２つの切込み２９ａ，２９ｂが形成されている。２つの切込み２９ａ，２９ｂは、パウチ容器の上下方向の中心線に対して対称な形状に形成されている。各切込み２９ａ，２９ｂは、それぞれ、上下方向中央部分が左右外側へ凸状をなす略台形状部分と、略台形状部分の両端から上下方向に延在する上側部分および下側部分とを有する。２つの切込み２９ａ，２９ｂによって区画される第一面シート１１の略台形状領域を内側に折り曲げることによって、２つの開口が形成される。また、２つの切込み２９ａ，２９ｂの間には、把持部３０を構成する帯部３１が形成されている。この場合、上記略台形状領域を折り曲げて掴むことで、帯部３１を把持したときの触感が改善される。なお、切込み２９ａ，２９ｂは、ミシン目線やハーフカット線等の切れやすい線によって形成されてもよく、パウチ容器の使用者が把持する際に破断して開口を形成するようにしてもよい。
【００５９】
切込み２９ａ，２９ｂの上側部分及び下側部分の上端及び下端は、それぞれ、例えば略Ｕ字状をなしている。より詳しくは、切込み２９ａ，２９ｂの上側部分の端部はパウチ容器の下端側に向いて終端し、下側部分の端部はパウチ容器の上端側に向いて終端している。このように上端及び下端が形成されていることで、略台形状領域を内側に折り曲げて２つの開口を形成し、それらの間にある帯部３１を掴んでパウチ容器を持ち上げたとき、内容物の荷重等が作用することによって切込み２９ａ，２９ｂの上端および下端から第一面シート１１が裂けるのを抑制できる。同様の機能を果たす形状であれば、切込み２９ａ，２９ｂの上端および下端は、例えばコ字状等の他の形状であってもよい。
【００６０】
本実施形態のパウチ容器では、口栓が設けられておらず、それに代えて、第二面シート１２の上部に取出部３２が形成されている。取出部３２は、幅方向に間隔をあけて形成された複数の放出口３３を含む。放出口３３は、例えば半円弧状の切込みによって区画される舌片で構成される。この舌片は、内容物を放出する際、パウチ容器の内側から内容物の荷重による圧力を受けて外側に撓むことによって放出口３３が開かれる。他方、上記舌片は、パウチ容器が起立状態に置かれた際には、上記舌片を構成するフィルムのコシによって、放出口３３を閉じる位置に戻る。また、上記舌片は、パウチ容器の上端側に凸状をなすように形成されるのが好ましい。舌片がパウチ容器の下端側に凸状をなす向きに形成されると、パウチ容器から放出口３３を介して内容物を放出する際に、放出される内容物が舌片に衝突することになって円滑な放出を阻害しやすいからである。
【００６１】
上記複数の放出口３３は、第二面シート１２に貼着された粘着シール３４によって塞がれている。粘着シール３４は、パウチ容器から内容物を放出させる際に剥がされる。
【００６２】
本実施形態のパウチ容器でも、第１実施形態のパウチ容器と同様の効果を奏する。加えて、取出部３２に複数の放出口３３が形成されていることで、１つのスパウトから内容物を放出する場合に比べて、内容物を分散させて放出することができる利点がある。
【００６３】
＜第６実施形態＞
図１２は、さらに他の実施形態であるパウチ容器の背面図である。図１と異なるのは、内容物の取出部だけである。
【００６４】
図１２に示すように、本実施形態のパウチ容器は、口栓が設けられておらず、それに代えて第二面シート１２に取出部３２ａが設けられている。取出部３２ａは、パウチ容器の上端近傍に設けられている。取出部３２ａは、パウチ容器の幅方向に並んだ複数の貫通孔の列が上下方向に複数形成されて構成される。そして、各貫通孔は、上下方向で複数に分割された粘着シール３４が貼着されて塞がれている。
【００６５】
本実施形態のパウチ容器でも、第１実施形態のパウチ容器と同様の効果を奏する。また、取出部３２に複数の貫通孔３３ａが形成されていることで、１つのスパウトから内容物を放出する場合に比べて、内容物を分散させて放出することができる。さらに、分割されている複数の粘着シール３４ａについて剥がす枚数を変えることで、内容物の放出量を調整できる利点がある。
【００６６】
＜第７実施形態＞
図１３は、さらに他の実施形態であるパウチ容器の背面図である。図１２に示すように、本実施形態のパウチ容器では、口栓のキャップ１９がスパウト１８から取り外され、スパウト１８にアダプタ３５が装着されている。アダプタ３５は、円筒状の取付部３６と取付部３６に連通する放出部３７とで構成され、側面視で略Ｔ字状をなしている。取付部３６は、内周面に雌ネジ部を有しており、スパウト１８の外周面に形成された雄ネジに締め込まれて取り付けられる。また、アダプタ３５の放出部３７は、取付部に連通するとともに、外周面に多数の貫通孔３８が形成されている。ここで、アダプタ３５において取付部３６に連なる放出部３７の壁部３７ａ，３７ｂは、左右方向の幅が上方にいくほど広くなるように傾斜した形状とするのが好ましい。これにより、内容物が例えば粉粒体である場合にも、パウチ容器から出た内容物が取出部３６から放出部３７に詰まることなく移動しやすくなる。
【００６７】
本実施形態のパウチ容器でも、第１実施形態のパウチ容器と同様の効果を奏する。加えて、スパウト１８にアダプタ３５を装着して多数の貫通孔３８から内容物を放出させるため、１つのスパウトから内容物を放出する場合に比べて、内容物を分散させて放出することができる利点がある。
【００６８】
＜第８実施形態＞
図１４は、さらに他の実施形態であるパウチ容器の（ａ）平面図、（ｂ）ＩＶ−ＩＶ線に沿った断面図、および、（ｃ）起立状態の斜視図である。
【００６９】
本実施形態のパウチ容器は、図１０に示したものに類似する。すなわち、図１４（ｃ）に示すように、本実施形態のパウチ容器は、底ガセットシート１３に加えて、天ガセットシート１４を備える。天ガセットシート１４は、図１４（ｂ），（ｃ）に示すように、第一面シート１１の上端及び第二面シート１２の上端を連結するシートであり、下方向に山折りされて第一面シート１１と第二面シート１２の間に挿入される。この状態で、天ガセットシート１４の周縁と、第一面シート１１及び第二面シート１２とがシール部２８ｄ，２８ｅで接合される。
【００７０】
本実施形態の開口２９の形成位置及び内装シート２６の接合位置は、図１と同様である。従って、本実施形態でも、内装シート２６の下端は第一面シート１１と底ガセットシート１３の間に挟まれた状態で接合されるため、その接合強度は増大する。また、把持部３０の開口２９がパウチ容器の略中心よりも下端側に形成されているため、パウチ容器を傾けたときにパウチ容器の重心位置が把持部３０よりも口栓２０側に偏るので、パウチ容器が自重により自然に傾き注出作業に大きな力が必要なくなり片手での作業が容易となる。
【００７１】
天ガセットシート１４及び底ガセットシート１３によってパウチ容器の容量が増大し、かつ、天ガセットシート１４及び底ガセットシート１３を有するパウチ容器は底ガセットシート１３のみを有するパウチ容器に比べて重心位置が上端側に位置しているため、液状物１００の注出作業の容易化は、本実施形態において一層顕著に顕在化し得る。
【００７２】
一方、本実施形態のパウチ容器は、口栓が設けられておらず、これに代えて、天ガセットシート１４に取出部３２ｂが設けられている。取出部３２ｂは、天ガセットシート１４に形成された多数の貫通孔３３ａを含む。図１２（ｂ），（ｃ）に示すように、多数の貫通孔３３ａのうち、天ガセットシート１４の折り曲げ部３９を境として一方の天ガセットシート１４に形成された貫通孔３３ａは長方形状の第１粘着シール３４ｂで塞がれ、他方の天ガセットシート１４は長方形天ガセットシート状の第２粘着シール３４ｃで塞がれる。粘着シール３４ｂ，３４ｃの少なくとも一方は、パウチ容器から内容物を放出する際に剥がされる。第１および第２粘着シール３４ｂ，３４ｃの一方だけを剥がすか両方を剥がすかによって、パウチ容器から放出される内容物の放出量を調整できる。
【００７３】
また、本実施形態のパウチ容器では、図１４に示すように、パウチ容器の起立状態において、第二面シート１２および天ガセットシート１４のシール部２８ｅの高さ位置が、第一面シート１１および天ガセットシート１４のシール部２８ｄよりも低くなるように形成するのが好適である。このように構成すれば、把持部３０の帯部３１を掴んでパウチ容器から内容物を放出させるとき、天ガセットシート１４の貫通孔３３ａ、特にシール部２８ｅの近傍に形成された貫通孔３３ａから放出された内容物がシール部２８ｅで邪魔されることなく散布可能になる。
【００７４】
以上、本発明の実施形態について説明したが、これ以外にも種々の変形が可能である。
【００７５】
例えば、上記の各実施形態では、開口２９を左右方向に併設された上下方向（高さ方向）に長い孔としているが、矩形状の孔であってもよく、あるいは指一本が入る複数の孔を上下方向に配列し、パウチ容器を把持する際にこれらの孔に指を差し込むようにして把持してもよい。複数の孔を上下方向に配列して開口２９を構成する場合、開口２９の上端は複数の孔のうちの最も上端側にある孔の上端を意味し、開口２９の下端は複数の孔のうちの最も下端側にある孔の下端を意味する。さらに、図１１以外に示す実施形態において、一部が第一面シート１１に繋がり、残りの部分が第一面シート１１から分離された舌片を内装シート２６側に折り曲げて開口２９を形成するのも好ましい。この場合、開口２９の上端は分離部分の上端を意味し、開口２９の下端は分離部分の下端を意味する。特に、第一面シート１１に繋がる一部が把持部３０の端縁である場合、舌片を内装シート２６側に折り曲げて開口２９を形成することで、把持部３０の強度を向上させるとともに、把持時の端面触感を向上させることが可能である。
【００７６】
また、開口２９は、事前に形成されている必要はなく、第一面シート１１に、当該開口を形成するためのミシン目やハーフカット線、複数の切り込みを形成するだけ、或いはこれらの組み合わせにしてもよい。この場合、使用者は、把持部３０を必要とするときにミシン目やハーフカット線に沿って第一面シート１１を破断し、開口２９を形成すればよい。この場合、開口２９の上端はミシン目やハーフカット線の上端を意味し、開口２９の下端はミシン目やハーフカット線の下端を意味するものとする。
【００７７】
また、本実施形態では、下端シール部１６として、左右方向（幅方向）の略中央の帯状領域と左右隅部の略三角状領域から構成される場合を示したが、これに限定されず、円弧状領域としてもよい。この場合、図１等に示すように２つの開口２９の間隔を維持しつつパウチ容器の下端近傍まで開口２９の下端を延在させることが困難となる場合もあるが、図８あるいは図９の場合には好適に適用され得る。
【００７８】
また、本実施形態におけるベースフィルム層、シーラント層、及びガスバリア層の構成材料は特に限定されないが、例示すると以下の通りである。なお、これら各層の積層は、慣用のラミネート法、例えば、接着剤によるドライラミネーション、熱接着性層を挟んで熱により接着させる熱ラミネーションなどにより行うことができる。
【００７９】
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）など）、ポリオレフィン（ポリエチレン（ＰＥ）、ポリプロピレン（ＰＰ）など）、ポリアミド（ナイロン−６、ナイロン−６６など）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、及びポリエーテルスルフォン（ＰＥＳ）等から構成される一層又は二層以上の延伸又未延伸フィルムが例示できる。
【００８０】
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層又は二層以上の延伸又未延伸フィルムが例示できる。
【００８１】
ガスバリア層としては、アルミニウム等の金属薄膜、又は塩化ビニリデン（ＰＶＤＣ）、エチレン−ビニルアルコール共重合体（ＥＶＯＨ）などの樹脂フィルム、或いは任意の合成樹脂フィルム（例えば、ベースフィルム層であってもよい）に、アルミニウム、酸化アルミニウムやシリカ等の無機酸化物などを蒸着（又はスパッタリング）したフィルムが例示できる。
【００８２】
シートには、内容物の商品名や原材料・使用上の注意事項等の商品説明、その他各種デザインなどを表示するための印刷層を設けることができる。例えば、印刷層は、グラビア印刷等の公知の方法により、ベースフィルム層の内側の面に形成できる。
【符号の説明】
【００８３】
１１  第一面シート、１２  第二面シート、１３  底ガセットシート、１４  天ガセットシート、１５  上端シール部、１６  下端シール部、１７  サイドシール部、１８  スパウト、１９  キャップ、２０  口栓、２１  ポイントシール部、２６  内装シート、２８  内装シートシール部、２９  開口、３０  把持部、３１  帯部、３２，３２ａ，３２ｂ  取出部、３３  放出口、３３ａ，３８  貫通孔、３４，３４ａ，３４ｂ，３４ｃ  粘着シール、３５  アダプタ、３６  取付部、３７  放出部、３９  折り曲げ部、  １００  液状物。
【図１】
0006712158.tif 000002
【図２】
0006712158.tif 000003
【図３】
0006712158.tif 000004
【図４】
0006712158.tif 000005
【図５】
0006712158.tif 000006
【図６】
0006712158.tif 000007
【図７】
0006712158.tif 000008
【図８】
0006712158.tif 000009
【図９】
0006712158.tif 000010
【図１０】
0006712158.tif 000011
【図１１】
0006712158.tif 000012
【図１２】
0006712158.tif 000013
【図１３】
0006712158.tif 000014
【図１４】
0006712158.tif 000015
【図１５】
0006712158.tif 000016